【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
メモリに記憶された命令を実行する処理システムであって、
第１の時間期間の少なくとも一部にわたって、第２の装置が前記装置にアクセス可能となることを保証するという要求を示す少なくとも１ビットを含む第１のメッセージを生成することと、
前記第２の装置からの第２のメッセージを処理することと、前記第２のメッセージは、前記第１の時間期間の少なくとも前記一部にわたって、前記第２の装置が前記装置にアクセス可能となることを保証するかどうかを示す少なくとも１ビットを含む、
前記第２のメッセージ中の前記少なくとも１ビットに基づいて、前記第１の時間期間の少なくとも前記一部にわたって、前記第２の装置が前記装置にアクセス可能となることを保証するかどうかを決定することと、ここにおいて、前記少なくとも１ビットの第１の値は、前記第１の時間期間の少なくとも前記一部にわたって、前記第２の装置が前記装置にアクセス可能となることを保証することを示し、前記少なくとも１ビットの第２の値は、前記第１の時間期間の少なくとも前記一部にわたって、前記第２の装置が前記装置にアクセス可能となることを保証しないことを示し、前記第１の時間期間の少なくとも前記一部にわたって、前記第２の装置がアクセス可能となることを保証しない場合、前記第２のメッセージは、第２の時間期間の少なくとも一部にわたって、前記第２の装置が前記装置にアクセス可能となることを保証する前記第２の時間期間を示す、
を行うように構成された処理システムと、
前記第２の装置への送信のために前記第１のメッセージを出力することと、ここにおいて、前記第１のメッセージは、前記装置が前記第２の装置とのアソシエーションを確立する前に、前記第２の装置に出力される、
前記第２のメッセージを受信することと、
を行うように構成されたインターフェースと、
を備えるワイヤレス通信のための装置。
【請求項２】
前記第１の時間期間、または前記一部のうちの少なくとも１つは、前記装置の動作要件、ユーザ入力、製造業者の指定、または前記装置のメモリに記憶されたデータのうちの少なくとも１つに基づく、請求項１に記載の装置。
【請求項３】
前記処理システムは、前記第１のメッセージが要求であるか、もしくは応答であるか否か、前記装置が最大時間の保証を要求しているか否か、または、前記第１のメッセージが、前記第２の装置がアクセス可能となり得る前記第１の時間期間を含んだフィールドを含むか否かのうちの少なくとも１つをさらに示すために前記第１のメッセージを生成するように構成される、請求項１に記載の装置。
【請求項４】
前記処理システムは、プローブ要求フレーム、プローブ応答フレーム、アソシエーション要求フレーム、アソシエーション応答フレーム、アクションフレーム、またはアクション確認応答フレームのうちの任意の１つに前記第１のメッセージを埋め込むようにさらに構成され、前記インターフェースは、送信のために前記フレームを出力するようにさらに構成される、請求項１に記載の装置。
【請求項５】
前記処理システムは、前記第２の時間期間の少なくとも前記一部にわたって、前記第２の装置が前記装置にアクセス可能となることを保証することを確認する第３のメッセージを生成するようにさらに構成され、前記インターフェースは、送信のために前記第３のメッセージを出力するようにさらに構成される、請求項１に記載の装置。
【請求項６】
前記処理システムは、アソシエーション要求フレームまたはプローブ要求フレームに前記第３のメッセージを埋め込むように構成され、前記インターフェースは、送信のために前記アソシエーション要求またはプローブ要求フレームを出力するようにさらに構成される、請求項５に記載の装置。
【請求項７】
ワイヤレス通信のための装置であって、
処理システムであって、
第２の装置から第１のメッセージを受信するためのインターフェースと、前記第１のメッセージは、第１の時間期間の少なくとも一部にわたって、前記装置が前記第２の装置にアクセス可能となることを保証するという要求を示す少なくとも１ビットを含み、前記第１のメッセージは、前記第２の装置が前記装置とのアソシエーションを確立する前に受信される、
前記第１の時間期間の少なくとも前記一部にわたって、前記装置が前記第２の装置にアクセス可能となり得るかどうかを決定することと、
前記決定に基づいて、前記第１の時間期間の少なくとも前記一部にわたって、前記装置が前記第２の装置にアクセス可能となることを保証するかどうかを示す少なくとも１ビットを含む第２のメッセージを生成することと、ここにおいて、前記少なくとも１ビットの第１の値は、前記第１の時間期間の少なくとも前記一部にわたって、前記装置が前記第２の装置にアクセス可能となることを保証することを示し、前記少なくとも１ビットの第２の値は、前記第１の時間期間の少なくとも前記一部にわたって、前記装置が前記第２の装置にアクセス可能となることを保証しないことを示し、前記処理システムは、前記第１の時間期間の少なくとも前記一部にわたって、前記装置がアクセス可能となることを保証しない場合、第２の時間期間の少なくとも一部にわたって、前記装置が前記第２の装置にアクセス可能となり得る前記第２の時間期間を決定するようにさらに構成され、前記第２のメッセージは、前記第２の時間期間を示す、
を行うように構成された前記処理システムと、
前記第２の装置への送信のために前記第２のメッセージを出力するためのインターフェースと、
を備えるワイヤレス通信のための装置。
【請求項８】
前記決定は、前記装置の動作要件、ユーザ入力、製造業者の指定、１つまたは複数の第３の装置に対してなされた保証、または前記装置のメモリに記憶されたデータのうちの少なくとも１つに基づく、請求項７に記載の装置。
【請求項９】
前記処理システムは、プローブ要求フレーム、プローブ応答フレーム、アソシエーション要求フレーム、アソシエーション応答フレーム、アクションフレーム、またはアクション確認応答フレームのうちの任意の１つにおいて前記第１のメッセージを受信するようにさらに構成され、前記インターフェースは、送信のために前記フレームを出力するようにさらに構成される、請求項７に記載の装置。
【請求項１０】
前記第２の時間期間の前記決定は、前記装置の動作要件、ユーザ入力、製造業者の指定、１つまたは複数の第３の装置に対してなされた保証、または前記装置のメモリに記憶されたデータのうちの少なくとも１つに基づく、請求項７に記載の装置。
【請求項１１】
前記第２のメッセージは、前記装置が前記第１のメッセージ内に示された最大時間の保証を受け付けるかまたは拒否するか否かをさらに示すために生成される、請求項７に記載の装置。
【請求項１２】
受信するための前記インターフェースは、前記第２の装置から、前記第２の時間期間の少なくとも前記一部にわたって、前記装置が前記第２の装置にアクセス可能となることを確認する第３のメッセージを受信するようにさらに構成される、請求項７に記載の装置。
【請求項１３】
装置がワイヤレスネットワーク上で第２の装置とのアソシエーションを確立するための方法であって、
第１の時間期間の少なくとも一部にわたって、前記第２の装置が前記装置にアクセス可能となることを保証するという要求を示す少なくとも１ビットを含む第１のメッセージを生成することと、
前記第２の装置から受信される第２のメッセージを処理することと、前記第２のメッセージは、前記第１の時間期間の少なくとも前記一部にわたって、前記第２の装置が前記装置にアクセス可能となることを保証することを示す少なくとも１ビットを含む、
前記第２の装置への送信のために前記第１のメッセージを出力することと、ここにおいて、前記第１のメッセージは、前記装置が前記第２の装置とのアソシエーションを確立する前に、前記第２の装置に出力される、
前記第２のメッセージ中の前記少なくとも１ビットに基づいて、前記第１の時間期間の少なくとも前記一部にわたって、前記第２の装置が前記装置にアクセス可能となることを保証するかどうかを決定することと、ここにおいて、前記少なくとも１ビットの第１の値は、前記第１の時間期間の少なくとも前記一部にわたって、前記第２の装置が前記装置にアクセス可能となることを保証することを示し、前記少なくとも１ビットの第２の値は、前記第１の時間期間の少なくとも前記一部にわたって、前記第２の装置が前記装置にアクセス可能となることを保証しないことを示し、前記第１の時間期間の少なくとも前記一部にわたって、前記第２の装置がアクセス可能となることを保証しない場合、前記第２のメッセージは、第２の時間期間の少なくとも一部にわたって、前記第２の装置が前記装置にアクセス可能となることを保証する前記第２の時間期間を示す、
を備える方法。
【請求項１４】
前記第１の時間期間または前記一部のうちの少なくとも１つは、前記装置の動作要件、ユーザ入力、製造業者の指定、１つまたは複数の第３の装置に対してなされた保証、または前記装置のメモリに記憶されたデータのうちの少なくとも１つに基づく、請求項１３に記載の方法。
【請求項１５】
前記第１のメッセージを生成することは、前記第１のメッセージが要求であるかもしくは応答であるか否か、前記装置が最大時間の保証を要求しているか否か、または、前記第１のメッセージが、前記第２の装置がアクセス可能となることを保証する前記第１の時間期間を含んだフィールドを含むか否かのうちの少なくとも１つを前記第１のメッセージ内に示すことを備える、請求項１３に記載の方法。
【請求項１６】
プローブ要求フレーム、プローブ応答フレーム、アソシエーション要求フレーム、アソシエーション応答フレーム、アクションフレーム、またはアクション確認応答フレームのうちの任意の１つに前記第１のメッセージを埋め込み、前記第２の装置への送信のために前記フレームを出力することをさらに備える、請求項１３に記載の方法。
【請求項１７】
前記第２の時間期間の少なくとも前記一部にわたって、前記第２の装置が前記装置にアクセス可能となることを確認する第３のメッセージを生成することと、
前記第２の装置への送信のために前記第３のメッセージを出力することとをさらに備える、請求項１３に記載の方法。
【請求項１８】
アソシエーション要求フレームまたはプローブ要求フレームに前記第３のメッセージを埋め込み、前記第２の装置への送信のために前記アソシエーション要求またはプローブ要求フレームを出力することをさらに備える、請求項１７に記載の方法。
【請求項１９】
装置がワイヤレスネットワーク上で第２の装置とのアソシエーションを確立するための方法であって、
前記第２の装置からメッセージを受信することと、前記第１のメッセージは、第１の時間期間の少なくとも一部にわたって、前記装置が前記第２の装置にアクセス可能となることを保証するという要求を示す少なくとも１ビットを含み、前記第１のメッセージは、前記第２の装置が前記装置とのアソシエーションを確立する前に受信される、
前記第１の時間期間の少なくとも前記一部にわたって、前記装置が前記第２の装置にアクセス可能となり得るかどうかを決定することと、
前記決定に基づいて、第２のメッセージを生成することと、前記第２のメッセージは、前記第１の時間期間の少なくとも前記一部にわたって、前記装置が前記第２の装置にアクセス可能となることを保証するかどうかを示す少なくとも１ビットを含み、ここにおいて、前記少なくとも１ビットの第１の値は、前記第１の時間期間の少なくとも前記一部にわたって、前記装置が前記第２の装置にアクセス可能となることを保証することを示し、前記少なくとも１ビットの第２の値は、前記第１の時間期間の少なくとも前記一部にわたって、前記装置が前記第２の装置にアクセス可能となることを保証しないことを示し、前記第１の時間期間の少なくとも前記一部にわたって、前記装置がアクセス可能となることを保証しない場合、前記方法は、第２の時間期間の少なくとも一部にわたって、前記装置が前記第２の装置にアクセス可能となり得る前記第２の時間期間を決定することをさらに備え、前記第２のメッセージは、前記第２の時間期間を示す、
前記第２の装置への送信のために前記第２のメッセージを出力することと、
を備える方法。
【請求項２０】
前記第１の時間期間の少なくとも前記一部にわたって、前記装置が前記第２の装置にアクセス可能となり得るかどうかの前記決定は、前記装置の動作要件、ユーザ入力、製造業者の指定、１つまたは複数の第３の装置に対してなされた保証、および前記装置のメモリに記憶されたデータのうちの少なくとも１つに基づく、請求項１９に記載の方法。
【請求項２１】
プローブ要求フレーム、プローブ応答フレーム、アソシエーション要求フレーム、アソシエーション応答フレーム、アクションフレーム、またはアクション確認応答フレームのうちの任意の１つに前記第２のメッセージを埋め込み、前記第２の装置への送信のために前記フレームを出力することをさらに備える、請求項１９に記載の方法。
【請求項２２】
前記第２の時間期間の前記決定は、前記装置の動作要件、ユーザ入力、製造業者の指定、１つまたは複数の第３の装置に対してなされた保証、およびメモリまたは前記装置に記憶されたデータのうちの少なくとも１つに基づく、請求項１９に記載の方法。
【請求項２３】
前記第２のメッセージは、前記装置が前記第１のメッセージ内に示された最大時間の保証を受け付けるかまたは拒否するか否かをさらに示すために生成される、請求項１９に記載の方法。
【請求項２４】
前記第２の装置から、前記第２の時間期間の少なくとも前記一部にわたって、前記装置が前記第２の装置にアクセス可能となることを確認する第３のメッセージを受信することをさらに備える、請求項１９に記載の方法。